【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
ヒートポンプ冷媒回路と、このヒートポンプ冷媒回路で加熱された水を貯湯する貯湯タンクとを備えたヒートポンプ給湯装置において、前記ヒートポンプ冷媒回路は冷媒と水とが熱交換する２個の水冷媒熱交換器を有し、この２個の水冷媒熱交換器の直列接続と並列接続を切り替え可能にする複数の開閉弁とこの開閉弁を制御する制御装置とを有することを特徴とするヒートポンプ給湯装置。
【請求項２】
このヒートポンプ給湯装置に接続される給湯端末での給湯使用を検出する流量検出手段を有し、前記制御装置は前記ヒートポンプ冷媒回路を制御可能であるとともに、前記流量検出手段が給湯端末の給湯使用を検出してから所定時間経過するまでは、前記貯湯タンクからだけ給湯するように前記ヒートポンプ冷媒回路を制御することを特徴とする請求項１に記載のヒートポンプ給湯装置。
【請求項３】
前記制御装置は、前記給湯端末が浴槽に接続されてこの浴槽に湯張りするときは、前記流量検出手段が給湯を検出したらすぐに前記ヒートポンプ冷媒回路を起動するように制御することを特徴とする請求項２に記載のヒートポンプ給湯装置。
【請求項４】
前記制御装置は、前記ヒートポンプ冷媒回路を運転する前に前記複数の開閉弁を制御して前記２個の水冷媒熱交換器を並列接続することを特徴とする請求項２に記載のヒートポンプ給湯装置。
【請求項５】
前記制御装置は、前記ヒートポンプ冷媒回路を運転して前記貯湯タンクに給湯するときは、前記２個の水冷媒熱交換器を直列接続することを特徴とする請求項１に記載のヒートポンプ給湯装置。
【請求項６】
圧縮機が圧縮した冷媒と水とを熱交換する水冷媒熱交換器を有するヒートポンプ冷媒回路と、前記水冷媒熱交換器で加熱された湯を貯える貯湯タンクと、前記水冷媒熱交換器と前記貯湯タンクへ水を供給する給水手段と、前記水冷媒熱交換器と前記貯湯タンクから送られた湯水を供給する給湯手段とを備えたヒートポンプ給湯装置において、給湯を開始してから所定時間経過した後に、前記圧縮機を起動させる制御手段を備えることを特徴とするヒートポンプ給湯装置。
【請求項７】
前記給湯手段を複数有し、一方の給湯手段は風呂に接続されるものであり、他方の給湯手段は風呂以外のものに接続されるものであり、風呂に接続される給湯手段から給湯するときと風呂以外に接続される給湯手段から給湯するときとで、前記制御手段は前記圧縮機を起動させる時間を変更可能であることを特徴とする請求項６記載のヒートポンプ給湯装置。
【請求項８】
圧縮機が圧縮した冷媒と水とを熱交換する水冷媒熱交換器を有するヒートポンプ冷媒回路と、前記水冷媒熱交換器で加熱された湯を貯える貯湯タンクと、前記水冷媒熱交換器と前記貯湯タンクへ水を供給する給水手段と、前記水冷媒熱交換器と前記貯湯タンクから送られた湯水を供給する供給手段とを備えたヒートポンプ給湯装置において、前記水冷媒熱交換器の水流路と冷媒流路の少なくともいずれかを切替可能な手段を備えることを特徴とするヒートポンプ給湯装置。
【請求項９】
前記水冷媒熱交換器の少なくとも水流路と冷媒流路のいずれかは、複数形成されており、この複数形成された流路の並列接続および直列接続を切替可能としたことを特徴とする請求項８に記載のヒートポンプ給湯装置。
【請求項１０】
前記貯湯タンクに加熱された水を貯える場合は、水冷媒熱交換器の複数形成された水流路と冷媒流路の少なくともいずれかを直列接続したことを特徴とする請求項９に記載のヒートポンプ給湯装置。
【手続補正２】
【補正対象書類名】明細書
【補正対象項目名】０００５
【補正方法】変更
【補正の内容】
【０００５】
【特許文献１】特開２００５−１４７６０８号公報
【特許文献２】特開２００３−２７９１３３号公報
【特許文献３】特開２００３−２４０３４４号公報
【手続補正３】
【補正対象書類名】明細書
【補正対象項目名】００１１
【補正方法】変更
【補正の内容】
【００１１】
上記目的を達成する本発明の特徴は、ヒートポンプ冷媒回路と、このヒートポンプ冷媒回路で加熱された水を貯湯する貯湯タンクとを備えたヒートポンプ給湯装置において、前記ヒートポンプ冷媒回路は冷媒と水とが熱交換する２個の水冷媒熱交換器を有し、この２個の水冷媒熱交換器の直列接続と並列接続を切り替え可能にする複数の開閉弁とこの開閉弁を制御する制御装置とを有することにある。
【手続補正４】
【補正対象書類名】明細書
【補正対象項目名】００１３
【補正方法】変更
【補正の内容】
【００１３】
上記目的を達成する本発明の他の特徴は、圧縮機が圧縮した冷媒と水とを熱交換する水冷媒熱交換器を有するヒートポンプ冷媒回路と、水冷媒熱交換器で加熱された湯を貯える貯湯タンクと、水冷媒熱交換器と貯湯タンクへ水を供給する給水手段と、水冷媒熱交換器と貯湯タンクから送られた湯水を供給する給湯手段とを備えたヒートポンプ給湯装置において、給湯を開始してから所定時間経過した後に、圧縮機を起動させる制御手段を備えるものである。
【手続補正５】
【補正対象書類名】明細書
【補正対象項目名】００１５
【補正方法】変更
【補正の内容】
【００１５】
上記目的を達成するさらに他の特徴は、圧縮機が圧縮した冷媒と水とを熱交換する水冷媒熱交換器を有するヒートポンプ冷媒回路と、水冷媒熱交換器で加熱された湯を貯える貯湯タンクと、水冷媒熱交換器と貯湯タンクへ水を供給する給水手段と、水冷媒熱交換器と貯湯タンクから送られた湯水を供給する供給手段とを備えたヒートポンプ給湯装置において、水冷媒熱交換器の水流路と冷媒流路の少なくともいずれかを切替可能な手段を備えることにある。
【手続補正６】
【補正対象書類名】明細書
【補正対象項目名】００１９
【補正方法】変更
【補正の内容】
【００１９】
次に各回路ごとにその構成を、以下に説明する。ヒートポンプ冷媒回路９０は、冷媒を圧縮して高温の冷媒とする圧縮機１、この圧縮機１で圧縮され高温となった冷媒と給湯のために供給された水（給水）とが熱交換する第１の水冷媒熱交換器２および第２の水冷媒熱交換器３、これらの水冷媒熱交換器２，３を出た冷媒を減圧する膨張弁４，膨張弁４を出た低温低圧の冷媒を蒸発させる蒸発器５を冷媒管路で接続して構成されている。圧縮機１は、インバータ制御により容量制御が可能になっており、低速（例えば１０００rpm）から高速（例えば６０００rpm）まで回転速度を可変である。蒸発器５は空気冷媒熱交換器であり、室外ファン６により室外の大量の空気と減圧された冷媒とを熱交換させる。
【手続補正７】
【補正対象書類名】明細書
【補正対象項目名】００２４
【補正方法】変更
【補正の内容】
【００２４】
水冷媒熱交換器２，３を並列接続した場合には、水冷媒熱交換器２，３の入口で低温であった水が、水側伝熱管２ｂ，３ｂを通過する際に徐々に加熱され、水冷媒熱交換器２，３の出口で、後述する運転制御手段により設定された所定の温度に昇温される。水冷媒熱交換器２，３を直列接続した場合には、水冷媒熱交換器３の入口で低温であった水が水側伝熱管３ｂ，２ｂを通過する際に徐々に加熱され、水冷媒熱交換器２の出口で、運転制御手段により設定された所定の温度に昇温される。
【手続補正８】
【補正対象書類名】明細書
【補正対象項目名】００４０
【補正方法】変更
【補正の内容】
【００４０】
このように各種センサを配置したヒートポンプ給湯装置１００においては、宅内に配置した図示しないリモコンを使用者が使用して所望の給湯温度Ｔｗｓを設定すると、制御装置が所望の温度の湯を給湯設備から給湯できるように各弁等を制御する。つまり、制御装置は第２湯水混合弁１７の下流に設けた給湯温度センサ６４の目標温度を、設定給湯温度よりα０だけ高い温度（Ｔｗｓ＋α０）に設定する。第１湯水混合弁１６と第２湯水混合弁１７との間に設けた混合温度センサ６３の目標温度をこの温度よりもさらにα１だけ高い温度（Ｔｗｓ＋α０＋α１）に設定する。水冷媒熱交換器水出口温度センサ６２の目標温度はさらにα２だけ高い温度（Ｔｗｓ＋α０＋α１＋α２）に設定される。